(57)【要約】【課題】外部電源と接続されるターミナルロッドの設置が容易に行えるマグネトロンを提供する。【解決手段】コイル状に形成されたフィラメントと、フィラメントの両端部にそれぞれ固定された一対のシールドと、一対のシールドに一側がそれぞれ固定された一対のリードと、一対のリードの各他側にそれぞれ設置される一対の接続プレートと、一側が一対の接続プレートのうちどちらか一方に固定され、接続プレートを介してリードに電源を供給する一対のターミナルロッドを備えるマグネトロン。  本発明によれば、ターミナルロッドの接続プレート側の端部にはターミナルロッドの接続プレート側端部に比べて相対的に狭い断面積を有する段差突起が一体的に突設され、段差突起のみが接続プレートを貫通して接合されることから、外側にはみ出されたターミナルロッドの長さを一定に保持することができる。【選択図】図１
2005038820.tif 000002
【特許請求の範囲】
【請求項１】
コイル状に形成されたフィラメントと、前記フィラメントの両端部にそれぞれ固定された一対のシールドと、前記一対のシールドに一側がそれぞれ固定された一対のリードと、前記一対のリードの各他側にそれぞれ設置される一対の接続プレートと、一側が前記一対の接続プレートのうちどちらか一方に固定され、前記接続プレートを介して前記リードに電源を供給する一対のターミナルロッドを備えるが、
前記ターミナルロッドの前記接続プレート側の端部には前記ターミナルロッドの前記接続プレート側の端部に比べて相対的に狭い断面積を有する段差突起が一体的に突設されて前記段差突起が前記接続プレートを貫通して接合されることを特徴とするマグネトロン。
【請求項２】
前記ターミナルロッドの前記接続プレート側の端部と前記段差突起はそれぞれ円形断面をもって形成され、
前記接続プレートには、前記段差突起が貫通するように前記段差突起と対応する直径を有するターミナル設置孔が穿孔されて前記ターミナルロッドの前記接続プレート側の先端部は前記ターミナル設置孔隣接部に接合され、前記段差突起の外周面は前記ターミナル設置孔の外周面と接合されることを特徴とする請求項１に記載のマグネトロン。
【請求項３】
前記一対のシールドは、前記フィラメントの一側に設置される第１シールドと前記フィラメントの他側に設置される第２シールドを備え、
前記一対のリードは一端が前記第１シールドに固定され、前記第２シールドを貫通して延びる第１リードと、前記第２シールドに固定される第２リードを備え、
前記接続プレートは、一側が前記第１リードに接合され、他側が前記一対のターミナルロッドのうちどちらか一方に接合される第１接続プレートと、一側が前記第２リードに接合され、他側が前記ターミナルロッドのうち他方に接合される第２接続プレートを備えることを特徴とする請求項２に記載のマグネトロン。
【請求項４】
前記第１接続プレート及び前記第２接続プレートはそれぞれ円弧状に形成され、その一端部に前記ターミナル設置孔が穿孔され、その他端部には前記第１リード線と前記第２リード線のうちどちらか一方が接合されるリード線設置孔が穿孔されることを特徴とする請求項３に記載のマグネトロン。
【請求項５】
前記接続プレートと前記ターミナルロッドとの間の接合は、ろう付けにより行われることを特徴とする請求項１に記載のマグネトロン。
【請求項６】
円筒状に形成された陽極胴体と前記陽極胴体の内に放射状に等間隔をあけて配置される複数のベーンを有する陽極部と、
前記複数のベーンのうちいずれか一つに接続されるアンテナと、
前記複数のベーンの上側及び下側において前記複数のベーンを互いに交互に接続するために配列された複数のストリップリングと、
前記陽極胴体の軸心に設置され、高温において熱電子を放出するコイル状のフィラメントを有する陰極部と、
前記コイル状のフィラメントの端部にそれぞれ固着された第１シールド及び第２シールドと、
前記第２シールドの中央部と前記フィラメントの中心部を貫通して前記第１シールドの中央部に固着される第１リードと、
前記第１及び第２リードが前記マグネトロンに一定の電気閉回路を形成するように外部電源端子と接続されており、前記第２シールドの底部に固着される第２リードと、
端子突起が突設され、該一端が前記外部電源端子に接続され、絶縁体を貫通して設置されて前記第１及び第２リードを前記各ターミナルロッドにそれぞれ接続させるターミナルロッドと、
前記第１及び第２リードの他端にそれぞれ固着される一対の接続プレートと、を備えることを特徴とするマグネトロン。
【請求項７】
前記一対のターミナルロッドを前記一対の接続プレートに確実に固着するために、前記各ターミナルロッド上には、前記一対の接続プレートの底面にそれぞれ固定され、前記ターミナルロッドの前記端子突起が前記各接続プレート上に設けられるターミナル設置孔にそれぞれ固定される固定部をさらに備えることを特徴とする請求項６に記載のマグネトロン。
【請求項８】
前記マグネトロンの内部に磁界を形成するために、相異なる磁極が対向するように前記陽極部の上側及び下側のそれぞれには、第１及び第２永久磁石がさらに設けられることを特徴とする請求項６に記載のマグネトロン。
【請求項９】
前記第１永久磁石及び前記第２永久磁石により生じる磁束を前記フィラメントに向かって導くために前記第１ポールピース及び前記第２ポールピースが設けられることを特徴とする請求項８に記載のマグネトロン。
【請求項１０】
前記第１ポールピース及び前記第２ポールピースの開放部を閉じ込んで該内側を真空状態に保持するために、前記第１ポールピース及び前記第２ポールピースの開放部には第１シールドコップと第２シールドコップがそれぞれ設けられることを特徴とする請求項９に記載のマグネトロン。
【請求項１１】
前記第２シールドコップの下側は、前記マグネトロンの外部より電源が供給可能に開放されていることを特徴とする請求項１０に記載のマグネトロン。
【請求項１２】
前記第２シールドコップの下側の開放部を閉じ込むように設けられ、前記一対のターミナルロッドがそれぞれ設置される一対の貫通孔を有する絶縁体がさらに備えられることを特徴とする請求項１１に記載のマグネトロン。
【請求項１３】
前記一対のターミナルロッドの一端が前記外部電源端子に接続され、絶縁体を貫通して設置されて前記第１及び前記第２リードを前記一対のターミナルロッドのうちどちらか一方とそれぞれ接続させることを特徴とする請求項１２に記載のマグネトロン。
【請求項１４】
前記絶縁体は、絶縁性物質であるセラミックスなどの材質が円筒状に形成されてなることを特徴とする請求項１２に記載のマグネトロン。
【請求項１５】
前記絶縁体は、前記第２シールドコップに隙間なく密着されて前記第２シールドコップの開放部を閉じ込むことにより、前記第２シールドコップとの間を介して振動が漏れることを特徴とする請求項１２に記載のマグネトロン。
【請求項１６】
前記一対の接続プレートは、円弧状に形成された金属板よりなることを特徴とする請求項６に記載のマグネトロン。
【請求項１７】
前記一対の接続プレートの一側には、前記ターミナルロッドの段差突起と対応する形状及び面積を有するターミナル設置孔が設けられ、
前記各接続プレートの他側には、前記リードが設けられるリード設置孔が設けられることを特徴とする請求項６に記載のマグネトロン。
【請求項１８】
前記ターミナルロッドと前記接続プレートとの間の接合は、前記一対のターミナルロッドを前記接続プレートのターミナル設置孔に差込むことにより行われることを特徴とする請求項１７に記載のマグネトロン。
【請求項１９】
前記第２シールドコップの外側にはみ出される前記ターミナルロッドの長さを一定に保持するために、前記ターミナルロッドの固定部の端部は前記接続プレートのターミナル設置孔の隣接部に支持され、前記ターミナルロッドの前記段差突起のみが前記ターミナル設置孔に差し込まれることを特徴とする請求項１７に記載のマグネトロン。
【請求項２０】
前記ターミナルロッドと前記接続プレートとの間の接合は、前記一対のターミナルロッドの固定部を前記一対の接続プレートに設けられた前記ターミナル設置孔に差し込むことにより行われることを特徴とする請求項１９に記載のマグネトロン。
【請求項２１】
前記ターミナル設置孔と対応する直径を有する前記段差突起は前記ターミナル設置孔を貫通し、
前記ターミナルロッドが前記第２シールドの内側に深く差し込まれることを防いで前記第２シールドの外側にはみ出される前記ターミナルロッドの長さを一定に保持するために、前記段差突起より相対的に大径を有する前記ターミナルロッドの固定部の端部は前記接続プレートの前記ターミナル設置孔の隣接部に係止されることを特徴とする請求項１９に記載のマグネトロン。
【請求項２２】
前記ターミナル設置孔に前記端子突起が差し込まれるとき、溶融合金が前記一対の接続プレートと前記一対のターミナルロッドとの間に流れ込んで前記一対の接続プレートと前記一対のターミナルロッドが接合されることを特徴とする請求項１９に記載のマグネトロン。
【発明の詳細な説明】
【技術分野】
【０００１】
本発明は高周波を発生させるマグネトロンに関し、より詳細には、組み立て性を向上させることのできるマグネトロンに関する。
【背景技術】
【０００２】
通常、マグネトロンは高周波を発生させる装置であって、電子レンジなどの高周波加熱装置に適用されて食べ物などを加熱するのに使われる。
【０００３】
かかる従来のマグネトロンには、内部に電源を印加されて熱電子を発生させるコイル状のフィラメントと、フィラメントの両端部にそれぞれ設けられて熱電子がフィラメントの両端部に向かって移動することを抑える第１シールド及び第２シールドが備えられ、第１シールドに固着されるとともに、フィラメントの中央部と第２シールドを貫通して設けられる第１リードと第２シールドに固着される第２リードが備えられている。
【０００４】
また、かかる第１リード及び第２リードは外部電源と接続される一対のターミナルロッドを介してそれぞれ外部電源を供給できるようになっており、ターミナルロッドとリードとの間には、ターミナルロッドとリードがそれぞれ接合されて互いに電気的に接続させる接続プレートが設けられている。
【０００５】
しかしながら、この種のマグネトロンにおいてターミナルロッドを外部電源端子と接続させるためには、その長さが一定に保たれる必要がある。このため、製造に当たり、ターミナルロッドの長さを一定に調節して接続プレートに接続しなければならないため、製造が煩雑であるといった問題点がある。
【発明の開示】
【発明が解決しようとする課題】
【０００６】
本発明は上記事情に鑑みてなされたものであり、その目的とするところは、ターミナルロッドと接続プレートとの間の接合が容易に行えるマグネトロンを提供することである。
【課題を解決するための手段】
【０００７】
上記目的を達成するために、本発明に係るマグネトロンは、コイル状に形成されたフィラメントと、前記フィラメントの両端部にそれぞれ固定された一対のシールドと、前記一対のシールドに一側がそれぞれ固定された一対のリードと、前記一対のリードの各他側にそれぞれ設けられる一対の接続プレートと、一側が前記一対の接続プレートのうちどちらか一方に固定されて前記接続プレートを介して前記リードに電源を供給する一対のターミナルロッドを備えるが、前記ターミナルロッドの前記接続プレート側の端部には前記ターミナルロッドの前記接続プレート側の端部に比べて相対的に狭い断面積を有する段差突起が一体的に突設され、前記段差突起が前記接続プレートを貫通して接合されることを特徴とする。
【０００８】
また、前記ターミナルロッドの前記接続プレート側の端部と前記段差突起はそれぞれ円形断面をもって形成され、前記接続プレートには前記段差突起が貫通可能に前記段差突起と対応する直径を有するターミナル設置孔が穿孔されて前記ターミナルロッドの前記接続プレート側の先端部は前記ターミナル設置孔の隣接部に接合され、前記段差突起の外周面は前記ターミナル設置孔の外周面と接合されることを特徴とする。
【０００９】
また、前記一対のシールドは、前記フィラメントの一側に設けられる第１シールドと前記フィラメントの他側に設けられる第２シールドを備え、前記一対のリードは一端が前記第１シールドに固定され、前記第２シールドを貫通して延びる第１リードと、前記第２シールドに固定される第２リードを備え、前記接続プレートは一側が前記第１リードに接合され、他側が前記一対のターミナルロッドのうちどちらか一方に接合される第１接続プレートと、一側が前記第２リードに接合され、他側が前記ターミナルロッドのうち他方に接合される第２接続プレートを備えることを特徴とする。
【００１０】
また、前記第１接続プレート及び前記第２接続プレートはそれぞれ円弧状に形成されてその一端部に前記ターミナル設置孔が設けられ、その他端部には前記第１リード線と前記第２リード線のうちどちらか一つが接合されるリード線設置孔が穿孔されることを特徴とする。
【００１１】
また、前記接続プレートと前記ターミナルロッドとの間の接合は、ろう付けにより行われることを特徴とする。
【発明の効果】
【００１２】
本発明に係るマグネトロンは、ターミナルロッドに段差突起が設けられて段差突起のみがターミナル設置孔の内側に差し込まれることから、第２シールドコップの外側にはみ出されるターミナルロッドの長さを一定に保持できるという作用效果がある。
【００１３】
また、本発明に係るマグネトロンは、段差突起の外周面とターミナル設置孔の内周面との間が接合されるだけではなく、ターミナルロッドの接続プレート側の先端部とターミナル設置孔の隣接部が接合されるため、接続プレートとターミナルロッドとの接合が一層堅固になり、振動漏れを一層確実に予防できるという作用効果もある。
【発明を実施するための最良の形態】
【００１４】
以下、添付した図面に基づき、本発明の望ましい一実施形態を詳細に説明する。
【００１５】
本発明に係るマグネトロンは、図１に示されているように、円筒状に形成された陽極胴体１０とともに陽極部を構成する複数のベーン１１が共振回路を形成するために放射状に等間隔に配置され、これらのうち一つのベーン１１には、外部に高調波ａを導き出すアンテナ１２が接続されており、前記ベーン１１は上下２つずつのストリップリング１３によって交互に接続されて配置される。
【００１６】
陽極胴体１０の軸心には高温において熱電子を放出するコイル状のフィラメント１４を有する陰極部が配置され、フィラメント１４の両端部には第１シールド１５ａと第２シールド１５ｂがそれぞれ固着される。そして、第１シールド１５ａの中央部には中央支持体となる第１リード１６ａが第２シールド１５ｂの中央部とフィラメント１４を貫通して第１シールド１５ａの下端部に固着され、第２シールド１５ｂの底面には第２リード１６ｂが固着される。さらに、これらの一対のリード１６ａ，１６ｂは外部電源端子３０ａ，３０ｂと接続されており、前記マグネトロンに一定の電気閉回路を形成することにより電界を形成する。
【００１７】
一方、内部に磁界を形成するために、相異なる磁極が対向するように第１永久磁石１７ａ及び第２永久磁石１７ｂが陽極部の上側及び下側にそれぞれ設けられ、一対の永久磁石１７ａ，１７ｂによって生じる磁束をフィラメント１４に向かって導くために、第１ポールピース１８ａ及び第２ポールピース１８ｂが設けられる。
【００１８】
また、第１ポールピース１８ａ及び第２ポールピース１８ｂの開放部にはその内側を真空に保持するための第１シールドコップ１９と第２シールドコップ２０がそれぞれ設けられ、第１ポールピース１８ａ及び第２ポールピース１８ｂの開放部を閉じ込んでその内側を真空に保持している。
【００１９】
この時、第２シールドコップ２０の下側は、図２に示されているように、外部から電源を供給できるように開放されており、第２シールドコップ２０の開放部には第２シールドコップ２０の開放部を閉じ込む絶縁体２１と、その一端が外部電源端子３０ａ，３０ｂに接続され、絶縁体２１を貫通して設置される第２シールドコップ２０の内側に電源を伝達できるようにする一対のターミナルロッド２２ａ，２２ｂと、第１リード１６ａ及び第２リード１６ｂを一対のターミナルロッド２２ａ，２２ｂのうちどちらか一方にそれぞれ接続させる一対の接続プレート２３ａ，２３ｂが備えられている。
【００２０】
絶縁体２１は、絶縁性物質であるセラミックスなどの材質が円筒状に形成されてなり、第２シールドコップ２０の開放部に固定されて第２シールドコップ２０の開放部を閉じ込むことにより、第２シールドコップ２０との間を介して振動が漏れることを防止できるように、第２シールドコップ２０に隙間なく密着されている。そして、一対のターミナルロッド２２ａ，２２ｂがそれぞれ別々に設置できるように一対の貫通孔２１ａ，２１ｂが設けられている。
【００２１】
ターミナルロッド２２ａ，２２ｂは、第１リード１６ａに設置される第１ターミナルロッド２２ａと第２リード１６ｂに設置される第２ターミナルロッド２２ｂを備え、各ターミナルロッド２２ａ，２２ｂの一側には外部電源端子３０ａ，３０ｂと連結できるようにフック状に曲がっている接続部２２１ａ，２２１ｂが、そして他側には接続プレート２３ａ，２３ｂに接合される固定部２２２ａ，２２２ｂが設けられている。この時、これらの各ターミナルロッド２２ａ，２２ｂの固定部２２２ａ，２２２ｂの先端部には固定部２２２ａ，２２２ｂの断面積に比べて相対的に狭い断面積を有する固定部２２２ａ，２２２ｂとともに段差を形成する段差突起２２３ａ，２２３ｂが突設されている。この実施の形態において、ターミナルロッド２２ａ，２２ｂの固定部２２２ａ，２２２ｂと段差突起２２３ａ，２２３ｂはそれぞれ円形断面をもって形成され、段差突起２２３ａ，２２３ｂがターミナルロッド２２ａ，２２ｂより小径に形成されている。
【００２２】
一方、接続プレート２３ａ，２３ｂは円弧状に形成された金属板よりなり、一側には段差突起２２３ａ，２２３ｂが設けられるように、ターミナルロッド２２ａ，２２ｂの段差突起２２３ａ，２２３ｂと対応する形状及び面積をもって形成されたターミナル設置孔２３１ａ，２３１ｂが穿孔されており、その他側にはリード１６ａ，１６ｂが設けられるリード設置孔２３２ａ，２３２ｂが穿孔されている。
【００２３】
これにより、ターミナルロッド２２ａ，２２ｂと接続プレート２３ａ，２３ｂを接合するためにターミナルロッド２２ａ，２２ｂを接続プレート２３ａ，２３ｂのターミナル設置孔２３１ａ，２３１ｂに差し込めば、ターミナルロッド２２ａ，２２ｂの固定部２２２ａ，２２２ｂの先端部は接続プレート２３ａ，２３ｂのターミナル設置孔２３１ａ，２３１ｂの隣接部に支持され、段差突起２２３ａ，２２３ｂのみがターミナル設置孔２３１ａ，２３１ｂに差し込まれるため、第２シールドコップ２０の外側にはみ出されるターミナルロッド２２ａ，２２ｂの長さを一定に保持することが可能になる。
【００２４】
この実施形態において、ターミナルロッド２２ａ，２２ｂと接続プレート２３ａ，２３ｂとの間の接合は、図３に示されているように、ろう付け方式により行われる。すなわち、溶融された合金Ｍが毛細管現象によってターミナルロッド２２ａ，２２ｂと接続プレート２３ａ，２３ｂとの間に流れ込んで凝固され、その結果、ターミナルロッド２２ａ，２２ｂと接続プレート２３ａ，２３ｂとの間の接合がなされるのである。
【００２５】
この実施形態において、ターミナルロッド２２ａ，２２ｂの接続プレート２３ａ，２３ｂ側の端部と段差突起２２３ａ，２２３ｂはそれぞれ円形断面を有すると記述されているが、必ずこれに限定することなく、様々な断面状に形成することができる。以下、このように構成された本発明に係るマグネトロンの組み立て及び作用效果を詳細に説明する。
【００２６】
まず、ターミナルロッド２２ａ，２２ｂと接続プレート２３ａ，２３ｂを接合するために、ターミナルロッド２２ａ，２２ｂの固定部２２２ａ，２２２ｂを接続プレート２３ａ，２３ｂに設けられたターミナル設置孔２３１ａ，２３１ｂに差し込めば、ターミナル設置孔２３１ａ，２３１ｂと対応する直径をもって形成されている段差突起２２３ａ，２２３ｂはターミナル設置孔２３１ａ，２３１ｂを貫通するのに対し、段差突起２２３ａ，２２３ｂに比べて相対的に大径を有するターミナルロッド２２ａ，２２ｂの固定部２２２ａ，２２２ｂの先端部は接続プレート２３ａ，２３ｂのターミナル設置孔２３１ａ，２３１ｂの隣接部に係止される。これにより、ターミナルロッド２２ａ，２２ｂが第２シールド１５ｂの内側に深く差し込まれることを防止することができ、第２シールド１５ｂの外側にはみ出されるターミナルロッド２２ａ，２２ｂの長さを一定に保持することができる。
【００２７】
このように、段差突起２２３ａ，２２３ｂのみがターミナル設置孔２３１ａ，２３１ｂに差し込まれている状態で、溶融された合金Ｍを接続プレート２３ａ，２３ｂとターミナルロッド２２ａ，２２ｂとの間に染み込ませば、溶融された合金Ｍは毛細管現象によって段差突起２２３ａ，２２３ｂの外周面と貫通孔２１ａ，２１ｂの内周面との間と、ターミナルロッド２２ａ，２２ｂの接続プレート２３ａ，２３ｂ側の先端部と貫通孔２１ａ，２１ｂの隣接部との間に流れ込み、経時的に溶融された合金Ｍが冷却されて凝固されることにより、ターミナルロッド２２ａ，２２ｂと接続プレート２３ａ，２３ｂが接合される。
【図面の簡単な説明】
【００２８】
【図１】本発明に係るマグネトロンの断面図である。
【図２】本発明に係るマグネトロンの部分分解斜視図である。
【図３】図１のIII部分の拡大図である。
【符号の説明】
【００２９】
１０  陽極胴体
１１  ベーン
１２  アンテナ
１３  ストリップリング
１４  フィラメント
１５ａ  第１シールド
１５ｂ  第２シールド
１６ａ  第１リード
１６ｂ  第２リード
１７ａ  第１永久磁石
１７ｂ  第２永久磁石
１８ａ  第１ポールピース
１８ｂ  第２ポールピース
１９  第１シールドコップ
２０  第２シールドコップ
２１  絶縁体
３０ａ，３０ｂ  外部電源端子
【図１】
2005038820.tif 000003
【図２】
2005038820.tif 000004
【図３】
2005038820.tif 000005